(57)【要約】本発明は、送信周波数の総数のうち１又はそれ以上の送信周波数（ｆｚｕ，ｆ１ｚｕ，ｆ２ｚｕ）の割当てをテストする基地局（３）のための方法、テスト装置及び基地局に関する。接続（４）はテスト装置（２）と基地局との間でセットアップされ、少なくとも１つのデータ信号部分がある信号電力及び位相にある少なくとも１つの割り当てられた送信周波数で送信される。更に、少なくとも１つのテスト信号部分が少なくとも１つの割り当てられていない送信周波数で送信される。夫々の送信周波数又は複数の送信周波数を有する周波数ブロックについての夫々のテスト信号部分は、各送信周波数又は各周波数ブロックごとに個別に設定され且つ少なくとも部分的に互いに異なる送信電力及び位相で送信される。割り当てられない送信周波数を有するテスト信号部分は受信され評価される。割り当てられる送信周波数又は周波数ブロックが確定され、割当信号が返される。割当信号は期待値と比較される。
2010537527.tif 000002
【特許請求の範囲】
【請求項１】
送信周波数の総数のうち１又はそれ以上の送信周波数の基地局を介した割当てをテストする方法であって、
テスト装置と前記基地局との間の接続をセットアップする段階と、
信号電力及び位相ポジションによる、少なくとも１つの割り当てられた送信周波数における少なくとも１つのデータ信号部分の送信段階と、
少なくとも１つの割り当てられていない送信周波数における少なくとも１つのテスト信号部分の送信段階であって、夫々１つの送信周波数、又はいくつかの送信周波数を有する１つの周波数ブロックについての夫々のテスト信号部分は、少なくとも部分的に互いに異なる各送信周波数又は各周波数ブロックごとに、個別に調整可能な送信電力及び位相ポジションを有して送信される段階と、
前記少なくとも１つの割り当てられていない送信周波数による前記少なくとも１つのテスト信号部分の受信段階と、
前記割り当てられていない送信周波数及び／又は周波数ブロックについて個別的に前記テスト信号部分の信号電力及び／又は位相ポジションを評価するとともに、前記割り当てられた送信周波数の信号電力及び／又は位相ポジションを評価する段階と、
割り当てられる送信周波数又は周波数ブロックを決定し、割当信号を返す段階と、
前記割当信号を受信し、期待値と比較する段階と
を有する方法。
【請求項２】
フレーム構造を有する信号が送信のために生成され、
フレームは、幾つかの連続する時間スロットを有し、
いずれの場合にも、相互に連続するフレームの同じ時間スロットが、前記テスト信号部分の送信のための少なくとも１つの割り当てられていない送信周波数で使用される、
ことを特徴とする請求項１記載の方法。
【請求項３】
いずれの場合にも、幾つかの送信周波数が周波数ブロックを形成するよう結合され、前記テスト信号部分は幾つかの周波数ブロックを有する、
ことを特徴とする請求項１又は２記載の方法。
【請求項４】
前記割当信号に影響を与える更なるパラメータは前記基地局により抑制され、従って、前記割当信号は前記テスト装置から送信される信号にのみ基づいて決定される、
ことを特徴とする請求項１乃至３のうちいずれか一項記載の方法。
【請求項５】
前記テスト信号部分の送信周波数へ及び／又は周波数ブロックへ個別に割り当てられる信号電力及び／又は位相ポジションの変化を通して、前記割り当てられた送信周波数の信号電力及び／又は位相ポジションからの偏差の限界値は、該割り当てられた送信周波数の変化が前記割当信号により引き起こされるところの信号電力及び／又は位相ポジションについて決定される、
ことを特徴とする請求項１乃至４のうちいずれか一項記載の方法。
【請求項６】
連続するテスト信号部分で、所与の送信周波数又は所与の周波数ブロックについて、信号電力は、前記所与の送信周波数又は前記所与の周波数ブロックが前記基地局によって割り当てられるまで段階的に増大する、
ことを特徴とする請求項５記載の方法。
【請求項７】
連続するテスト信号部分の少なくとも１つの割り当てられていない送信周波数及び／又は少なくとも１つの周波数ブロックは、先行するテスト信号部分と比べて異なった周波数部分を提供する、
ことを特徴とする請求項１乃至６のうちいずれか一項記載の方法。
【請求項８】
前記割り当てられていない送信周波数及び／又は前記周波数ブロックの周波数部分は、所定パターンに従って連続するテスト信号部分において変更される、
ことを特徴とする請求項７記載の方法。
【請求項９】
基地局をテストするテスト装置であって、
少なくとも１つのデータ信号部分及び少なくとも１つのテスト信号部分を有する信号を生成し、基地局との接続のために割り当てられる送信周波数は前記少なくとも１つのデータ信号部分に割り当てられ、割り当てられない送信周波数は前記少なくとも１つのテスト信号部分に割り当てられる信号生成ユニットと、
各送信周波数又は各周波数ブロックごとに個別に調整される信号電力及び／又は位相ポジションを有して前記信号を送信する送信装置と、
割当信号を受信する受信装置と、
受信された前記割当信号の内容を期待値と比較する比較装置と
を有するテスト装置。
【請求項１０】
前記テスト信号部分の送信周波数の選択のための少なくとも１つのパターンは当該テスト装置のバッファに記憶される、
ことを特徴とする請求項９記載のテスト装置。
【請求項１１】
制御ユニットが設けられ、
前記制御ユニットは、信号電力及び／又は位相ポジションが夫々の送信周波数又は周波数ブロックについて前記テスト信号に個別に割り当てられるようにセットアップされる、
ことを特徴とする請求項９又は１０記載のテスト装置。
【請求項１２】
受信装置と、
割り当てられる送信周波数を決定する評価装置と、
割当信号を生成する割当信号生成ユニットと、
前記評価装置へ接続される動作モード選択ユニットと
を有し、
前記動作モード選択ユニットの選択信号に依存して、前記評価ユニットは、基地局へ接続されるテスト装置の受信信号のみが評価されるように調整可能である、基地局。
【発明の詳細な説明】
【技術分野】
【０００１】
本発明は、送信周波数の総数のうち１又はそれ以上の送信周波数の基地局を介した割当てをテストする方法、テスト装置及び対応する基地局に関する。
【背景技術】
【０００２】
最新の無線送信方法（例えば、ＯＦＤＭＡ（直交周波数分割多重アクセス））は、複数の可能な送信周波数を使用する。いずれの場合にも最適品質接続又は利用可能な全帯域幅の最適利用を達成するために、送信周波数又は幾つかの送信周波数を有する周波数ブロックは、基地局を介して関与端末装置へ割り当てられる。これらの送信周波数を割り当てるために、個々の送信周波数についての送信の品質は、例えば、位相ポジション又は信号電力に関して、解析される。この解析の結果に依存して、更に、他の限界条件（例えば、既発の周波数、又は隣接セルの可能な送信周波数上の信号の重なり）を考慮して、可能な送信周波数のうち１又はそれ以上の送信周波数が選択され、基地局へ接続されている端末装置へ割り当てられる。次いで、この端末装置は、割り当てられた送信周波数で、やり取りされるべきデータを送信する。
【発明の概要】
【発明が解決しようとする課題】
【０００３】
本発明に係る方法の目的は、関与端末装置への周波数又は周波数ブロックの基地局を介した割当てをテストする実現性を提供することである。
【課題を解決するための手段】
【０００４】
上記の目的は、請求項１の特徴を具えた本発明に従う方法によって、請求項９の特徴を具えた本発明に従うテスト装置によって、及び請求項１２に従う基地局によって、達成される。
【０００５】
理論的に利用可能な送信周波数の総数のうち１又はそれ以上の送信周波数の基地局を介した割当てをテストするための本発明に従う方法の場合に、最初に無線リンクがテスト装置と基地局との間にセットアップされる。この無線リンクにより、データ信号部分は、少なくとも１つの割り当てられた送信周波数で、所与の信号電力及び位相ポジションを有して、テスト装置を介してやり取りされる。設定される位相ポジション及び信号電力は、送信規格で定められているように調整される。ここで一例として挙げられているＯＦＤＭＡ送信方法の場合に、これらのデータ信号部分の夫々は、送信される信号のフレーム構造における時間スロットに対応する。データ信号部分に加えて、テスト信号部分がテスト装置によって基地局へ送信される。また、１つのテスト信号部分は１つの時間スロットに対応する。テスト信号部分は、データ送信のために提供されず且つ割り当てられていない少なくとも１つの送信周波数で、基地局へ送られる。これに関連して、テスト装置によって送信されるあらゆるテスト信号部分は、テスト信号部分で使用される送信周波数ごとに、又はそこで与えられる１つの周波数ブロックについて、個々に調整された送信電力及び位相ポジションを有して割り当てられる。このテスト信号部分、又はテスト装置によって連続的に送信される幾つかのテスト信号部分は、基地局によって受信される。テスト信号部分の信号電力及び位相ポジションは、テスト信号の送信周波数及び／又は周波数ブロックについて個々に評価される。更に、信号電力及び／又は位相ポジションは、割り当てられた送信周波数について評価される。これは、データ信号部分の解析を通して、又は１若しくは複数のテスト信号部分のその後の評価を伴った割当送信信号でのテスト信号部分の更なる送信によって、実施され得る。基地局と関与端末装置との間のリンクに使用され、従って割り当てられる送信周波数又は周波数ブロックは、これらの評価された信号電力及び／又は位相ポジションに基づいて決定される。
【０００６】
割当信号は基地局によって生成されて返される。この割当信号は、その後に使用される送信周波数に関する情報を含み、テスト装置によって受信される。割当信号又はその内容は、個々の送信周波数又は周波数ブロックの個々に調整された送信電力及び／又は位相ポジションに対応する期待値と比較される。期待値は、テスト信号部分の生成中にテスト装置によって決定され、基地局による正確な評価の場合にどの送信周波数が決定されるべきかを示す。
【０００７】
本発明に従う方法の実施のために、テスト装置は、信号を生成する信号生成ユニットを設ける。この信号生成ユニットは少なくとも１つのデータ信号部分及び少なくとも１つのテスト信号部分を有する。これに関連して、いずれの場合にも送信装置によって、データ信号部分は、割り当てられた送信周波数で送信され、テスト信号部分は、少なくとも１つの割り当てられていない送信周波数で送信される。割当周波数へのデータ信号部分の割当てと、少なくとも１つの非割当送信周波数へのテスト信号部分の割当てとは、また、信号生成ユニットによって実施される。更に、テスト装置は、割当信号の受信のための受信装置と、受信した割当信号の内容を期待値と比較する比較装置とを設ける。送信装置は、信号電力及び／又は位相ポジションが各送信周波数の送信信号へ及び／又は幾つかの送信周波数を有する送信ブロックへ個別的に割り当てられ得るように設計され、送信信号は然るべく出力される。
【０００８】
更に、受信装置、割当信号生成ユニット及び評価装置が基地局に設けられる。評価装置は、動作モード選択ユニットへ接続され、評価装置は、動作モード選択ユニットの選択信号に依存して、いずれの場合にも、テスト装置から受信される信号から決定されるパラメータのみが、割り当てられる送信周波数又は割り当てられる周波数ブロックを決定するための基礎として使用されるように、設計される。
【０００９】
本発明に従う方法及び本発明に従うテスト装置の有利な更なる発展は、従属請求項で特定される。
【００１０】
具体的に、幾つかの連続する時間スロットを与えるフレーム構造を有する信号が、有利に、送信のために生成される。信号の連続するフレームで夫々、同じ時間スロットがテスト信号部分の送信のために使用される。テスト信号部分は、割り当てられている送信周波数を含む幾つかの周波数ブロック及び／又は送信周波数で送信され得る。幾つかの送信周波数は、いずれの場合にも、１の周波数ブロックを形成するよう結合される。これに関連して、テスト信号部分の周波数ブロックの数は、特に、連続するフレームで変化しうる。一方で、その場合に、連続するフレームの連続するテスト信号部分により全帯域幅をカバーすることが可能であり、他方で、例えば、基地局の割当機能をテストする対象となる方法で１の周波数ブロックのみを使用することも可能である。具体的に、基地局のローディングも、様々な数の周波数ブロック又は非割当送信周波数がテスト信号部分内の異なるフレームに含まれる点で、然るべく調整され得る。従って、全帯域幅がテスト信号部分に含まれる基地局のための評価は、ただ１つの周波数ブロック又は単一の非割当送信周波数が使用される場合よりも包括的である。
【００１１】
更に、割当信号に影響を及ぼす更なるパラメータを基地局で抑制することが有利であり、これにより、割当信号は、もっぱらテスト装置から送信される信号に基づいて、基地局によって決定される。このような更なるパラメータは、例えば、無線リンクが基地局と他のネットワーク加入局との間でセットアップされているところの既に占有されている送信周波数である。このような送信周波数は実際の動作において利用可能でない。基地局が、通常の動作中に、このような周波数が割り当てられるべきことを決定する場合は、割当信号は、それでも、異なる周波数を割り当てる。しかし、このような代替の割当ては、期待値による呼応が可能でないために、解析結果を損なう。従って、基地局は、評価装置を制御することができる動作モード不成立ユニットを設ける。動作モード選択ユニットの選択信号は評価装置へ供給され、このとき、評価装置は、割当信号に影響を及ぼす更なるパラメータを抑制する。このような更なるパラメータは、例えば、隣接セルによって占有される送信周波数が格納されているテーブルから発生する。
【００１２】
更なる好ましい実施形態に従って、それは、周波数ブロック又は送信周波数に割り当てられる信号電力及び／又は位相ポジションを変化させることによって決定される。割当送信周波数の信号電力及び／又は位相ポジションからのその最小偏差から、割り当てられている送信周波数の変更が実施される。基地局と加入局との間におけるテスト装置を用いてのデータの送信は、送信周波数の変更が新しい送信周波数の割当てを通して行われるまで、一度割り当てられた送信周波数を使用する。割り当てられた送信周波数について信号電力又は位相ポジションを一定に保つと同時に、割り当てられていない送信周波数の信号電力又は位相ポジションを変化させることによって、変更のための規準を決定することが可能である。これに関連して、所与の送信周波数又は所与の周波数ブロックが基地局によって割り当てられるまで、ただ１つの所与の送信周波数若しくは１つの周波数ブロックについて連続するテスト信号部分を段階的に増大させ、又は位相ポジションを段階的に変化させることは、特に好ましい。
【００１３】
テスト装置は、望ましくはバッファに記憶されている、テスト信号部分の送信周波数の選択のための少なくとも１つのパターンを提供する。従って、テスト方法のプロシージャは、単に所定パターンを呼び起こすことによって、簡単に制御され得る。例えば、連続するテスト信号部分で使用される周波数ブロック又は送信周波数のシーケンスは、また、連続するフレームの個々の送信周波数又は周波数ブロックについての信号出力及び／又は位相ポジションの変化として、所定の方法でバッファに記憶されてよい。
【００１４】
更に、テスト装置は制御ユニットを有し、制御ユニットにより、信号出力及び／又は位相ポジションは送信周波数又は周波数ブロックの夫々の場合にテスト信号へ個別的に割り当てられる。これに関連して、制御ユニットは、特に、信号出力又は位相ポジションの変化時に、割り当てられている送信周波数の変化を認識して、テスト装置のバッファから新しいパターンを呼び起こし、又は、例えば、テストを中断して結果を出力するように設計される。
【００１５】
本発明の望ましい実施形態は、図面に基づいて以下の記載でより詳細に説明される。
【図面の簡単な説明】
【００１６】
【図１】本発明に従うテスト装置及び本発明に従う基地局を有するテストシステムのブロック回路図を示す。
【図２】本発明に従う方法のプロシージャの説明の目的で、テスト装置から送信される信号のパターン表示を示す。
【図３】送信信号の第２のパターン表示を示す。
【図４】送信信号の第３のパターン表示を示す。
【図５】基地局によって送信周波数の割当てをテストするための本発明に従う方法の実施のための手続処理を示す。
【発明を実施するための形態】
【００１７】
図１は、テストシステム１をパターン的に示す。テストシステム１はテスト装置２及び基地局３を有する。基地局３及びテスト装置２は、無線リンク４を介してお互いに接続されている。無線リンク４はアップリンク（ＵＬ）チャネル５を有し、アップリンクチャネル５を介して、テスト装置２から送信される信号は基地局３へ伝送される。対照的に、無線リンク４のダウンリンク（ＤＬ）チャネル６が設けられており、ダウンリンクチャネル６により信号は基地局３からテスト装置２へ伝送される。
【００１８】
テスト装置２は信号生成ユニット７を有する。信号生成ユニット７は、送信される信号を生成する。信号生成ユニット７については、図２〜４を参照して以下でより詳細に説明する。信号生成ユニット７によって生成された信号は、送信装置８及びインターフェース９によって出力される。これに関連して、送信電力及び位相ポジションは、信号の送信周波数へいずれの場合にも個別的に割り当てられる。送信装置８は、生成された信号で利用可能な送信周波数ごとに仕様に従って信号電力及び位相ポジションを個別的に生成することができるように設計される。従って、信号はインターフェース９を介して基地局３へ伝送され、全帯域幅にわたって定められている電力プロファイルを提供する。
【００１９】
このようにしてテスト装置２から送信される信号は、基地局の受信インターフェース１０で受信される。そこで受信された信号は、評価ユニット１１へ供給される。信号に含まれる送信周波数、又は幾つかの送信周波数を含みうる周波数ブロックごとに、評価ユニット１１は信号電力及び位相ポジションを決定する。従って、質的に最高値の送信周波数、又は最良の品質を有する周波数ブロックが評価ユニット１１で決定される。割当信号は、基地局３の送信インターフェース１３及びダウンリンクチャネル６を介してテスト装置２へ返送される信号であって、この決定された最適な送信周波数又は周波数ブロックに基づいて割当信号生成装置１２によって生成される。受信された割当信号を受信装置１４へ供給する第２インターフェース１４は、テスト装置２内に形成される。割当信号は評価装置１６で評価され、割当信号の内容が決定される。決定された割当信号の内容に基づいて、比較器１７で、基地局３によって実際に割り当てられる送信周波数が、テスト装置２によって生成されて送信された信号に基づいて期待される送信周波数と一致するかどうかが判断される。この目的のために、割当てに係る期待値は、基地局３による正確な解析の理想的な場合に割り当てられる送信周波数を表す値であって、制御ユニット１９によって決定される。個々の送信周波数又は周波数ブロックに割り当てられる信号電力及び位相ポジションに基づいて、制御ユニット１９は、どの送信周波数が理想的な評価の場合に基地局３によって割り当てられるべきかを決定する。この期待値は制御ユニット１９によって比較器１７へ送られる。比較器１７は、期待値を、割当信号の内容から実際に決定される送信周波数と比較する。比較の結果はもう一度制御ユニット１９へ供給される。制御ユニット１９は、例えば、結果の出力のためのスクリーン（図示せず。）へ接続されてよい。
【００２０】
更に、制御ユニット１９はバッファ１８へ接続されている。送信周波数又は幾つかの送信周波数を有する周波数ブロックの選択が個々のテスト信号部分について記憶されているところの、幾つかの異なるパターンは、バッファ１８に記憶されてよい。このようなパターンは、一方で、テスト信号部分ごとの送信周波数の選択を有してよく、他方で、同時に、送信周波数への所与の信号電力の割当てを有してよい。送信周波数への信号電力又は位相ポジションの割当てのための更なるパターンもバッファ１８に記憶されてよい。次いで、それらは、制御ユニット１９を介して呼び起こされ、信号生成装置７へ送られる。このとき、送信周波数と、夫々与えられる信号電力及び／又は位相ポジションとの間の割当てが、実施される。
【００２１】
送信周波数に関する検討は、また、別なふうに示されない限り、周波数ブロックへも然るべく適用される。
【００２２】
基地局３は、また、幾つかの加入局との無線リンクをセットアップする通常の動作モードのための更なるパラメータのソース２０を設ける。これらの更なるパラメータは、例えば、送信周波数の二重の占有を防ぐために、実際の動作では評価装置１１によって考慮される。このようなパラメータは、例えば、他の加入局、又は他の加入局とのリンクによって既に占有されている周波数である。更に、ソース２０は、例えば携帯電話ネットワーク内で、隣接セルによって使用される送信周波数が記憶されているテーブルを有してよい。これらのパラメータは通常の動作モードで評価装置１１へ供給される。評価装置１１は、これらのパラメータを考慮に入れて、テスト装置２から受信される信号及び依然として利用可能な送信周波数に基づいて然るべく決定を行う。依然として利用可能な送信周波数のうち自由に利用可能な送信周波数が、テスト装置２には割り当てられるべきである。しかし、影響を受けない測定を実施するために、基地局３は、また、動作モード選択ユニット２１を設ける。評価装置１１へ接続されている動作モード選択ユニット２１を介して、評価装置１１はテストモードへと切り替えられる。テストモードでは、ソース２０によって供給されるパラメータは抑制される。このような抑制は、例えば、評価ユニット１１のアルゴリズム内の所与のステップをスキップすることによって、実施され得る。代替的に、ソース２０から評価装置１１へのパラメータ読出のための対応する入力は、また、デフォルト値により占められてよい。
【００２３】
無線リンク４は、上記で、説明の目的で仮定されていた。しかし、テストのために、ケーブル結合接続が、また、無線リンクに代えて使用されてよい。環境影響（例えば、望まない減衰）は、このようにしてより良く制御され、又は除かれてよい。
【００２４】
図２は、テスト装置２によって生成される信号の説明の目的で第１の例を表す。テスト装置２によって生成される信号は、連続するフレーム３０、４０及び５０を提供する。提示されている実施例で、本発明に従う原理を限定することなく、連続フレーム３０、４０及び５０の夫々は、７つの時間スロット３１〜３７、４１〜４７及び５１〜５７を提供する。これらの時間スロットの夫々は信号部分に対応する。最初の４つの信号部分３１〜３４、４１〜４４及び５１〜５４は夫々データ信号部分として表され、各フレームの５番目の時間スロットはテスト信号部分３５、４５及び５５として提供される。
【００２５】
データ信号部分３１〜３４、３６、３７、４１〜４４、・・・は夫々、基地局３によって割り当てられる周波数ｆｚｕで送信される。それに反して、テスト信号部分３５、４５及び５５は、全ての利用可能な帯域幅ｆｇｅｓａｍｔにより送信される。テスト信号部分３５、４５及び５５が送信される全帯域幅は、夫々、例えば、９つの周波数ブロック３５．１〜３５．９、４５．１〜４５．９及び５５．１〜５５．９に細分化される。従って、言い換えると、周波数ブロック３５．ｉ、４５．ｉ及び５５．ｉの夫々は複数の送信周波数（サブキャリア周波数）を含みうる。
【００２６】
テスト信号部分３５の送信の間、テスト信号部分３５がこの周波数で送信される所与の信号電力は、周波数ブロック３５．ｉの夫々へ割り当てられる。先ず初めの段階で評価装置１１による評価を可能にするために、これらの信号電力は、個々の周波数ブロックについて、少なくとも部分的に異なっている。接続のための最適な周波数は、周波数ブロック３５．ｉ、従って送信周波数、へ個別的に割り当てられているこれらの信号電力に依存して、基地局３によって決定される。
【００２７】
個々の周波数ブロック３５．ｉ又は送信周波数への異なる信号電力の割当ては、例えば、送信装置８で生成される周波数選択性フェージングによって、実施され得る。
【００２８】
図２に示される実施例は、連続フレーム３０、４０及び５０のテスト信号部分３５、４５及び５５の夫々について全帯域幅ｆｇｅｓにより送信を行う。従って、全ての利用可能な周波数帯域は、夫々のフレーム３０、４０、５０の後で予めカバーされており、割り当てられる周波数は、夫々のフレーム３０、４０又は５０の後に評価装置１１で基地局によって決定され得る。
【００２９】
更に、図２は、いずれの場合にも、フレーム３０、４０、５０の３番目の時間スロット、すなわち、データ信号部分３３、４３、５３が、基地局３へ接続されている装置での復調のための所謂アップリンクリファレンス信号（uplink-reference-signal）を形成することを示す。このようなパイロット信号を用いると、リンクに関連するデータが、いずれの場合にも、基地局３へ接続されている端末装置へ送られる。
【００３０】
図３は、本発明に従う方法の実施のための信号についての第２の実施例を示す。表示の明瞭性のために、夫々関連する周波数ブロック又はデータ信号部分のみが参照符号を有して表されている。最初に、第１のフレーム３０又は第１のフレーム３０に先行するフレームのデータ信号部分は第１の割当周波数ｆ１ｚｕで送信される。テスト信号部分３５の受信後、新しい周波数ｆ２ｚｕが基地局３によって割り当てられる。次いで、データ信号部分４１ｆｆがこの新たに割り当てられた送信周波数ｆ２ｚｕでやり取りされる。上記とは無関係に、制御装置１９によって決定される周波数ブロックの選択のためのパターンは、いずれの場合にも、送信されるテスト信号部分として保持される。第１のフレーム３０のテスト信号部分３５は、先行するフレームのテスト信号部分に記録された周波数ブロックを含むことは明らかである。従って、全周波数帯域幅ｆｇｅｓの全ての周波数ブロックは、２つの連続するフレームでテスト信号部分によって使用される。個別に割り当てられた信号電力及び個別に割り当てられた位相ポジションを有する１つの周波数ブロックがこのようにして基地局３へ送られた後、全ての利用可能な周波数帯域ｆｇｅｓについて、いずれの場合にも、評価は基地局３又はその評価装置１１によって実施され得る。従って、送信周波数の変化及び新しい送信周波数の割当ては２フレームごとに実施され得る。このことは、フレーム４０及び５０に関して先と同じく表されている。周波数ブロック４５．１、４５．３、４５．５、４５．７及び４５．９は、いずれの場合にも、第２のフレーム４０でテスト信号部分４５において、個別に割り当てられた信号電力及び位相ポジションを有して送信され、一方で、帯域幅全体から依然欠けている他の周波数ブロック４５．２、４５．４、４５．６及び４５．８は後続のフレーム５０で送信される。従って、電力及び位相ポジションに関して必要とされる情報は、２つのフレーム４０及び５０の後の全帯域幅について、もう一度基地局３が利用可能である。
【００３１】
図４は、信号電力又は位相ポジションに依存して決定される送信周波数の正確な割当てのみならず、割当送信周波数の変更が実施される閾値又は限界値も決定され得ることを示す。
【００３２】
この目的のために、図４にも示されるように、基地局３とテスト装置２との間のデータ送信は、第１の割当周波数ｆ１ｚｕで実施される。割当送信周波数での送信のための電力は、また、位相ポジションも同様に、一定に保たれる。対照的に、信号電力又は位相ポジションの変更は、テスト信号部分３５、４５又は５５の周波数ブロックのうち少なくとも１つの周波数ブロックについて実施される。表される実施例では、いずれの場合にも、第２の周波数ブロック３５．２、４５．２及び５５．２は、割当送信周波数の信号電力又は位相ポジションから信号電力及び／又は位相ポジションの最小の間隙距離を決定するために使用される。夫々のテスト信号部分３５、４５及び５５について上述されるように、信号電力は、周波数ｆ２ｚｕについて段階的に増大する。信号電力の段階的な増大を通して、新しい周波数ｆ２ｚｕが割り当てられる信号電力ΔＰは、基地局３を介して対応する割当信号をやり取りすることによって、決定され得る。
【００３３】
図４は、ただ１つの周波数ブロック３５．２、４５．２、５５．２が夫々のテスト信号部分３５、４５及び５５でこの目的のために使用されることを示す。しかし、当然、送信周波数の割当てに関してテストの実施のためのより複雑なパターンを使用することも可能である。具体的に、如何なる必要とされる電力プロファイルも、テスト信号部分内で、いずれの場合にも、個々の送信周波数又は周波数ブロックについて使用されてよく、割り当てられた信号電力の一部又は全ては連続するフレーム内で変更されてよい。
【００３４】
図５は、簡略化された形で本発明に従う方法の実施を再度表す。最初に、テスト方法はステップ６０で開始される。各送信周波数又は各周波数ブロックへ個別的に割り当てられた信号電力を有したデータ信号部分及びテスト信号部分の送信の前に、基地局の動作モードが選択される。選択信号に依存して、評価装置はテストモードへと切り替えられる。テストモードでは、更なるパラメータは抑制される（ステップ６１）。これに続いて、ステップ６２で、テスト信号部分が提供すべき設定が選択される。この目的のために、パターンがバッファ１８から信号生成ユニット７によって読み出される。このパターンは、連続するテスト信号部分で夫々使用される周波数ブロックのみを提供することができ、あるいは、代替的に、連続するテスト信号部分についての個別的に割り当てられた信号電力又は位相ポジションを予め含みうる。このようなパターンは、例えばテーブル形式で、バッファ１８に保存されてよい。
【００３５】
パターンの選択後、データ信号部分及びテスト信号部分から成る対応する送信信号が、ステップ６３で生成される。信号は幾つかの連続するフレームを有し、信号電力及び位相ポジションが、使用される送信周波数の夫々について、テスト信号部分及びデータ信号部分に割り当てられる。この情報、すなわち、データ信号部分及びテスト信号部分に使用される周波数と、割り当てられた信号電力及び位相ポジションとから、ステップ６４で期待値が決定される。期待値は、どの送信周波数が基地局３によってその後にテスト装置２へ割り当てられるべきかを示す。期待値は、また、一時的に使用される送信周波数の変化が実施されるべきでないことも意味する。
【００３６】
次いで、ステップ３５で、送信信号がテスト装置２によって送信され、基地局３によって受信される。そこで、割り当てられる周波数が評価装置１１で決定される。更なるパラメータが無視されるべきことが予め前もって動作モード選択ユニット２１によって特定されていた場合は、割り当てられるこの周波数は、もっぱら、アップリンクチャネル５で送信されるデータ信号部分及びテスト信号部分に含まれる情報から、決定される。割当信号は基地局３によって生成され、ダウンリンクチャネル６で返される。割当信号の内容は、ステップ６６で、期待値と比較され、評価の結果はステップ６７で出力される。このような評価は、例えば、基地局３による正確な割当て及び不正確な割当ての比較を有してよい。
【００３７】
本発明に従う方法は、示されている実施例に限定されない。具体的に、特徴の個々の組合せは有利に可能である。更に、図２〜４に示されているパターンが単に例示を目的として与えられているという事実が申し述べられる。
【図１】
2010537527.tif 000003
【図２】
2010537527.tif 000004
【図３】
2010537527.tif 000005
【図４】
2010537527.tif 000006
【図５】
2010537527.tif 000007
【国際調査報告】
2010537527.tif 000008
2010537527.tif 000009
2010537527.tif 000010
2010537527.tif 000011
2010537527.tif 000012
2010537527.tif 000013